(57)【要約】【課題】合口部に他のトレランスリングが進入する度合いを規制することで、トレランスリング同士の絡み合いの度合いを抑制できるトレランスリングが従来必要とされている。【解決手段】トレランスリング１は、ばね性を有する帯状板材をリング状に形成したリング本体２と複数の突起部５を備える。突起部５は、リング本体２に形成されかつリング本体２から径方向に突出する。リング本体２の周方向の第１端部１１と第２端部１２の間には、合口部１３が形成される。トレランスリング１は、リング本体２の第１縁部２ａ側から合口部１３に挿入された他のトレランスリングＴの軸方向への進入量を規制する差込み規制部６を有する。差込み規制部６は、軸方向における複数の突起部５の第１軸方向端部５ａと第１縁部２ａとの間の範囲にて他のトレランスリングＴの進入量を規制するように位置する。【選択図】図３
2020091023.tif 000002
【特許請求の範囲】
【請求項１】
トレランスリングであって、
ばね性を有する帯状板材から形成されるリング状のリング本体と、
前記リング本体の周方向の第１端部と第２端部の間に形成される合口部と、
前記リング本体に形成されかつ前記リング本体から径方向に突出する複数の突起部と、
前記リング本体の軸方向の第１縁部と第２縁部と、
前記第１縁部側から前記合口部に挿入された他のトレランスリングの前記軸方向への進入量を規制する差込み規制部を有し、
前記差込み規制部は、前記軸方向における前記複数の突起部の前記第１縁部側の軸方向端部と前記第１縁部との間の範囲にて前記他のトレランスリングの進入量を規制するように位置するトレランスリング。
【請求項２】
請求項１に記載のトレランスリングであって、
前記差込み規制部は、前記第１端部と前記第２端部との間において前記リング本体の前記第１縁部から延在する第１スリットと、前記第１スリットと角度を有して交差し前記第１スリットから延在する第２スリットを有し、
前記第１スリットと前記第２スリットの連結箇所が前記軸方向における前記複数の突起部の前記第１縁部側の前記軸方向端部と前記第１縁部との間の範囲に位置するトレランスリング。
【請求項３】
請求項２に記載のトレランスリングであって、
前記差込み規制部は、前記連結箇所を超えて前記第１スリットから前記第１スリットの延在方向に延びる切込み部を有するトレランスリング。
【請求項４】
請求項２または３に記載のトレランスリングであって、
前記第１スリットは、前記リング本体の板厚より大きい幅を有するトレランスリング。
【請求項５】
請求項１に記載のトレランスリングであって、
前記差込み規制部は、前記第１端部と前記第２端部との間において前記リング本体の前記第１縁部から延在するスリットを有し、
前記スリットは、前記他のトレランスリングの前記軸方向への進入量を規制する曲線部を有し、前記曲線部が前記軸方向における前記複数の突起部の前記第１縁部側の前記軸方向端部と前記第１縁部との間の範囲に位置するトレランスリング。
【請求項６】
請求項１〜５のいずれか１つに記載のトレランスリングであって、
前記差込み規制部は、前記リング本体の径方向外方または径方向内方に突出した突出部を有するトレランスリング。
【発明の詳細な説明】
【技術分野】
【０００１】
本発明は、トレランスリングに関する。例えば、軸部材と、軸部材を周方向に囲む外周部材との間に配置されるトレランスリングに関する。
【背景技術】
【０００２】
特許文献１に記載のトレランスリングは、軸部材と、軸部材を周方向に囲む外周部材との間に圧入された状態で配置される。トレランスリングは、ばね性を有する帯板部材をリング状に形成したリング本体と、リング本体から径方向に突出する複数の突起部を有する。リング本体の周方向の両端部の間には合口部が形成される。合口部は、リング本体を径方向に貫通するとともに軸方向にも貫通する。トレランスリングは、軸部材と外周部材の間に圧入する際に弾性変形され、合口部が周方向に拡がる。これによりトレランスリングを軸部材と外周部材の間に容易に組付けることができる。
【０００３】
しかし合口部が理由でトレランスリング同士が絡む場合がある。例えばトレランスリングの製造過程において、他のトレランスリングが合口部に軸方向から進入、あるいは径方向から進入する。具体的には、複数のトレランスリングは、容器に収容されて表面処理あるいは運搬される。この容器内において合口部から他のトレランスリングが進入する。その結果、トレランスリングが鎖状に繋がったり、渦巻き状あるいは内外二重筒状に絡んだり、トレランスリングの中に別のトレランスリングが交差状に嵌ったりする。トレランスリング同士が絡み合った状態のままコーティング等の表面処理を行うと、十分に表面処理が施されない場合がある。そのためこのような処理をする前に、絡み合ったトレランスリングを手作業で分離している。
【０００４】
特許文献２に記載のトレランスリングは、リング本体の両端部を溶接等で物理的に結合し、合口部が閉じている。そのため合口部が原因によるトレランスリング同士の絡み合いが生じない。しかしリング本体の両端部の溶接をする煩雑な作業が必要である。また合口部の周方向の幅が拡がり難いため、トレランスリングを組付けることが容易でない。
【０００５】
特許文献３に記載のトレランスリングは、リング本体の周方向の両端部に軸方向に交互に設けられた凹部と凸部を有する。凸部は、他方の端部に形成された凹部に収容される。換言すると合口部は、蛇行した形状になっている。そのため合口部から他のトレランスリングが軸方向に進入することが規制され得る。しかし凸部は、先端ほど幅が広く、凹部は、奥側ほど幅が広い。そのため凸部と凹部が嵌ることで、リング本体は、合口部の周方向の幅が拡がり難い。そのためトレランスリングを組付けることが容易でない。
【０００６】
特許文献４の図５等に記載のトレランスリングは、リング本体の周方向一端部に凸部を有し、他端部に凹部を有する。凸部は、リング本体の周方向の第１端部の略中央から周方向に突出する。凹部は、リング本体の周方向の第２端部の略中央から周方向に凹み、凸部が収容される。したがって凸部と凹部によって合口部から他のトレランスリングが進入することが規制される。しかし特許文献４のトレランスリングにおいても他のトレランスリングが深く進入する。そのため表面処理を施す前等において絡み合ったトレランスリングを手作業で分離する必要がある。
【先行技術文献】
【特許文献】
【０００７】
【特許文献１】特開平１１−３４８８９号公報
【特許文献２】国際公開２０１０／００１２２１号
【特許文献３】中国実用新案公告第２０７０３４００６号明細書
【特許文献４】国際公開２００８／０２１８９０号
【発明の概要】
【発明が解決しようとする課題】
【０００８】
そこで表面処理等において絡まったトレランスリングを分離する必要がなく、かつ軸部材等に組付けやすいトレランスリングが従来必要とされている。
【０００９】
したがって合口部に他のトレランスリングが進入する度合いを規制することで、トレランスリング同士の絡み合いの度合いを抑制できるトレランスリングが従来必要とされている。
【課題を解決するための手段】
【００１０】
本開示の１つの特徴によるとトレランスリングは、リング本体と複数の突起部を有する。リング本体は、ばね性を有する帯状板材からリング状に形成される。突起部は、リング本体に形成されかつリング本体から径方向に突出する。リング本体の周方向の第１端部と第２端部の間には、合口部が形成される。リング本体は、軸方向の第１縁部と第２縁部を有する。トレランスリングは、第１縁部側から合口部に挿入された他のトレランスリングの軸方向への進入量を規制する差込み規制部を有する。差込み規制部は、軸方向における複数の突起部の第１縁部側の軸方向端部と第１縁部との間の範囲にて他のトレランスリングの進入量を規制するように位置する。
【００１１】
したがってトレランスリングと他のトレランスリングの絡む量が小さくなる。そのためトレランスリングが相互に絡んだままであっても、下記理由によって表面処理等の後工程を行うことができる。完成品であるトレランスリングは、軸部材と外周部材との間に嵌合して使用される。例えばトレランスリングは、外周部材とともに軸部材に対して回転することで、軸部材に対して摺動する。この時、突起部の軸方向端部の周りにおいて面圧が集中する。そのため突起部の軸方向端部において表面処理が施されることが望ましい。
【００１２】
これに対して本特徴によると、差込み規制部は、他のトレランスリングが突起部の軸方向端部を超えて挿入されることを規制する。そのためトレランスリングが相互に絡んだままであっても、軸方向端部の周りの表面処理等ができる。なお後工程は、コーティングやショットブラスト等の表面処理だけに限定されず、例えば防錆処理や熱処理等であっても良い。しかもトレランスリングの絡む量が小さいため、トレランスリングと他のトレランスリングを分離する場合でも容易に分離できる。
【００１３】
本開示の１つの特徴によると差込み規制部は、第１スリットと第２スリットを有する。第１スリットは、第１端部と第２端部との間においてリング本体の第１縁部から延在する。第２スリットは、第１スリットと角度を有して交差し第１スリットから延在する。第１スリットと第２スリットの連結箇所が軸方向における複数の突起部の第１縁部側の軸方向端部と第１縁部との間の範囲に位置する。
【００１４】
したがって第１スリットに沿って軸方向に進入する他のトレランスリングのリング本体は、第１スリットと第２スリットの連結箇所に当たる。これにより軸方向内方への他のトレランスリングの進入が連結箇所によって規制される。かくしてトレランスリング同士の絡み合いの度合いを規制できる。しかも突起部の軸方向端部の周りを他のトレランスリングによって覆われることが連結箇所によって規制される。そのためトレランスリングが相互に絡んだままであっても、突起部の軸方向端部の周りの表面処理等ができる。
【００１５】
本開示の１つの特徴によると差込み規制部は、第１スリットと第２スリットの連結箇所を超えて第１スリットから第１スリットの延在方向に延びる切込み部を有する。したがって第１スリットに沿って軸方向に進入する他のトレランスリングのリング本体は、第１スリットから切込み部に向かって進入する。これにより他のトレランスリングが第１スリットから第２スリットへ進入することを規制できる。かくしてトレランスリング同士の絡み合いの度合いを確実に規制できる。
【００１６】
本開示の１つの特徴によると第１スリットは、リング本体の板厚より大きい幅を有する。したがって第１スリットに進入した他のトレランスリングによって、合口部の幅が拡げられることが抑制される。そのためリング本体の弾性力によって他のトレランスリングが挟持されることが抑制される。その結果、絡んでいるトレランスリングを容易に分離することができる。
【００１７】
本開示の１つの特徴によると差込み規制部は、第１端部と第２端部との間においてリング本体の第１縁部から延在するスリットを有する。スリットは、他のトレランスリングの軸方向への進入量を規制する曲線部を有し、曲線部が軸方向における複数の突起部の第１縁部側の軸方向端部と第１縁部との間の範囲に位置する。
【００１８】
したがってスリットに沿って軸方向に進入する他のトレランスリングのリング本体は、曲線部の側壁面に当たる。これにより軸方向内方への他のトレランスリングの進入が曲線部によって規制される。かくしてトレランスリング同士の絡み合いの度合いを規制できる。しかも突起部の軸方向端部の周りを他のトレランスリングによって覆われることが曲線部によって規制される。そのためトレランスリングが相互に絡んだままであっても、突起部の軸方向端部の周りの表面処理等ができる。
【００１９】
本開示の１つの特徴によると差込み規制部は、リング本体の径方向外方または径方向内方に突出した突出部を有する。したがって突出部は、他のトランスリングが径方向から合口部に進入することを規制する。これによりトレランスリング同士が絡み合うことをより確実に規制できる。
【図面の簡単な説明】
【００２０】
【図１】第１実施形態に係るトレランスリングの斜視図である。
【図２】図１のトレランスリングの展開図である。
【図３】図１のトレランスリングの合口部周りの平面図である。
【図４】第２実施形態に係るトレランスリングの合口部周りの平面図である。
【図５】第１参考例のトレランスリングの合口部周りの平面図である。
【図６】第３実施形態に係るトレランスリングの合口部周りの平面図である。
【図７】第４実施形態に係るトレランスリングの合口部周りの平面図である。
【図８】第５実施形態に係るトレランスリングの斜視図である。
【図９】図８のトレランスリングの合口部周りの平面図である。
【図１０】図８のトレランスリングを軸方向から見た正面図である。
【図１１】第２参考例のトレランスリングの合口部周りの平面図である。
【図１２】図１１のトレランスリングを軸方向から見た正面図である。
【図１３】第６実施形態に係るトレランスリングの合口部周りの平面図である。
【図１４】第１実施形態に係るトレランスリングの変形例の斜視図である。
【発明を実施するための形態】
【００２１】
［第１実施形態］
第１実施形態を図１〜３に基づいて説明する。図１に示すようにトレランスリング１は、円筒状のリング本体２と複数の突起部５を有する。リング本体２は、ばね性を有する帯状板材が丸めることで円筒状に形成される。トレランスリング１は、金属材料、例えば高炭素鋼やステンレス鋼等の鉄または合金鋼、あるいは銅やニッケル等の非鉄金属またはその金属合金等からなる。
【００２２】
図１に示すトレランスリング１は、軸部材と外周部材との間に嵌合されて用いられる。軸部材は、例えばロータ軸等の円柱状もしくは円筒状の金属部材である。外周部材は、例えば円筒状であって、その中心孔に軸部材が挿入される。したがって軸部材と外周部材の間には、径方向長さの短い円筒状の隙間が形成される。トレランスリング１はこの円筒状の隙間に圧入されることで両部材間に嵌合される。リング本体２の外周面３は、使用時において外周部材の内周面と対向する。リング本体２の内周面４は、圧入による最大摩擦力によって定まる許容値を超えた場合に、軸部材の外周面に対して摺動する。
【００２３】
図１，２に示すようにリング本体２は、周方向において一端（図２において左端）に第１端部１１を有する。リング本体２は、周方向において他端（図２において右端）に第２端部１２を有する。第１端部１１と第２端部１２を対向させることで、第１端部１１と第２端部１２の間に合口部１３が形成される。合口部１３は、リング本体２を径方向に貫通する。合口部１３は、リング本体２の周方向において第１端部１１と第２端部１２を隔てる。リング本体２は、軸方向における一端（図２において上端）に第１縁部２ａを有する。リング本体２は、軸方向における他端（図２において下端）に第２縁部２ｂを有する。
【００２４】
図２に示すように突起部５は、リング本体２に複数個形成され、例えば９個形成される。複数の突起部５は、リング本体２の周方向（長手方向）の中心線Ｌ１に沿ってリング本体２の軸方向の略中心に１列に並び、周方向に所定の間隔を隔てて配置される。例えば端面１１ａ，１２ａの近傍に位置する突起部５の間隔は、中心に位置する突起部５の間隔よりも狭い。複数の突起部５は、その長手線が中心線Ｌ１と直交しリング本体２の軸方向に沿うように配置される。各突起部５は、軸方向に沿う中心線Ｌ２に対して線対称状である。
【００２５】
図１，２に示すように突起部５は、リング本体２の径方向外方に突出し、軸方向の両側面に三角形状の斜面を有し、周方向の両側面に台形形状の斜面を有するペントルーフ（寄せ屋根、寄棟）形状である。突起部５は、図２の平面視においてリング本体２の軸方向に長手を有する長方形状である。
【００２６】
図２に示すように突起部５は、リング本体２の軸方向において第１縁部２ａ側（図２において上側）に第１軸方向端部５ａを有する。複数の突起部５の第１軸方向端部５ａは、リング本体２の周方向に延びる仮想線Ｌ３上に沿って１列に並んでいる。第１縁部２ａと仮想線Ｌ３の間は、平滑になっている。突起部５は、リング本体２の軸方向において第２縁部２ｂ側（図２において下側）に第２軸方向端部５ｂを有する。複数の突起部５の第２軸方向端部５ｂは、リング本体２の周方向に延びる仮想線Ｌ４上に沿って１列に並んでいる。第２縁部２ｂと仮想線Ｌ４の間は、平滑になっている。
【００２７】
図３に示すように第１端部１１と第２端部１２は、対向する端面１１ａ，１２ａをリング本体２の軸方向における略中央に有する。第１端部１１と第２端部１２の間の軸方向における両部に差込み規制部６，７を有する。差込み規制部６，７は、合口部１３に他のトレランスリングＴが進入する度合いを規制するように構成される。差込み規制部６，７は、図示するように例えばリング本体２の軸方向から他のトレランスリングＴが進入する度合いを規制する。
【００２８】
図１，３に示すように端面１１ａ，１２ａは、リング本体２の軸方向に沿って長く、径方向に厚みを有する。差込み規制部６は、軸方向における端面１１ａ，１２ａの第１縁部２ａ側（図３に置いて上方）に設けられる。差込み規制部６は、第１端部１１に形成された第１凹壁面１１ｂと第２凹壁面１１ｃを備える。第２凹壁面１１ｃは、端面１１ａと交差しかつリング本体２の周方向に沿って延出する。第１凹壁面１１ｂは、第２凹壁面１１ｃと交差しかつリング本体２の軸方向に沿って第１縁部２ａまで延出する。第１凹壁面１１ｂと第２凹壁面１１ｃは、略矩形状に周方向（図３において右方）に切欠かれた切欠き形状を構成する。
【００２９】
図３に示すように差込み規制部６は、第２端部１２に形成された第１凸壁面１２ｂと第２凸壁面１２ｃを有する。第２凸壁面１２ｃは、端面１２ａと交差しかつリング本体２の周方向に沿って延出する。第１凸壁面１２ｂは、第２凸壁面１２ｃと交差しかつリング本体２の軸方向に沿って第１縁部２ａまで延出する。第１凸壁面１２ｂと第２凸壁面１２ｃは、略矩形状に周方向（図３において右方）に張出した張出し形状を構成する。第１凸壁面１２ｂと第２凸壁面１２ｃで構成される張出し形状は、第１凹壁面１１ｂと第２凹壁面１１ｃで構成される切欠き形状に収まる大きさおよび形状を有する。
【００３０】
図３に示すように差込み規制部６は、互いに略平行である第１凹壁面１１ｂと第１凸壁面１２ｂの間に第１スリット１４を有する。第１スリット１４は、第１縁部２ａからリング本体２の軸方向に沿って延在する。第１スリット１４は、リング本体２の板厚より間隔が広くなるように形成される。差込み規制部６は、互いに略平行である第２凹壁面１１ｃと第２凸壁面１２ｃの間に第２スリット１５を有する。第２スリット１５は、第１スリット１４と角度（例えば略９０°）を有して交差し、第１スリット１４からリング本体２の周方向に沿って延在する。第２スリット１５は、リング本体２の板厚より間隔が狭くなるように形成される。第１スリット１４と第２スリット１５は、第１縁部２ａと仮想線Ｌ３との間に位置する。
【００３１】
図３に示すように他のトレランスリングＴが第１スリット１４から軸方向に進入する場合、他のトレランスリングＴは、第１スリット１４に沿って進入する。そのため他のトレランスリングＴは、第２凹壁面１１ｃに当たり、第２凹壁面１１ｃが他のトレランスリングＴの第２スリット１５への進入を阻止する。
【００３２】
図３に示すように差込み規制部７は、軸方向における端面１１ａ，１２ａの第２縁部２ｂ側（図３に置いて下方）に設けられる。差込み規制部７は、合口部１３の中心を対称中心として差込み規制部６と点対称状である。すなわち差込み規制部７は、第１端部１１に形成された第１凸壁面１１ｅと第２凸壁面１１ｄを備える。第１凸壁面１１ｅと第２凸壁面１１ｄは、略矩形状に周方向（図３において左方）に張出した張出し形状を構成する。差込み規制部７は、第２端部１２に形成された第１凹壁面１２ｅと第２凹壁面１２ｄを備える。第１凹壁面１２ｅと第２凹壁面１２ｄは、略矩形状に周方向（図３において左方）に切欠かれた切欠き形状を構成する。
【００３３】
図３に示すように差込み規制部７は、互いに略平行である第１凸壁面１１ｅと第１凹壁面１２ｅの間に第１スリット１６を有する。差込み規制部７は、互いに略平行である第２凸壁面１１ｄと第２凹壁面１２ｄの間に第２スリット１７を有する。第１スリット１６は、第２縁部２ｂからリング本体２の軸方向に沿って延在する。第２スリット１７は、第１スリット１６と角度（例えば略９０°）を有して交差し、第１スリット１６からリング本体２の周方向に沿って延在する。第１スリット１６と第２スリット１７は、第２縁部２ｂと仮想線Ｌ４との間に設けられる。他のトレランスリングＴが第１スリット１６から軸方向に進入する場合も、他のトレランスリングＴは、第２凹壁面１２ｄに当たり、第２凹壁面１２ｄが他のトレランスリングＴの第２スリット１７への進入を阻止する。
【００３４】
トレランスリング１は、様々な工程を経て製造される。例えば図２に示すように帯状板材をプレス成形してリング本体２に複数の突起部５を形成する。続いてリング本体２をリング状に形成する。後工程としてトレランスリング１に表面処理を行う。表面処理は、例えば熱処理、ショットブラスト、コーティング、防錆処理であって、これらを選択的に順次行う。
【００３５】
従前の後工程では、必要箇所に処理が行き渡るようにするため、トレランスリングを１つ１つばらばらにする。例えば容器に多数のトレランスリングが収容された状態で表面処理や運搬が行われることで、トレランスリングが互いに絡むことがある。そのため従前の後工程では、工程前に絡んだトレランスリングを１つ１つばらばらにする必要がある。これに対してトレランスリング１は、他のトレランスリングＴの差し込み量を規制する差込み規制部６，７を有する。そのため絡んだトレランスリング１をばらばらにすることなく、トレランスリング１の必要箇所に表面処理を行うことができる。
【００３６】
上述するようにトレランスリング１は、図１，３に示すようにリング本体２と複数の突起部５を有する。リング本体２は、ばね性を有する帯状板材からリング状に形成される。突起部５は、リング本体２に形成されかつリング本体２から径方向外方に突出する。リング本体２の周方向の第１端部１１と第２端部１２の間には、合口部１３が形成される。リング本体２は、軸方向の第１縁部２ａと第２縁部２ｂを有する。トレランスリング１は、第１縁部２ａ側から合口部１３に挿入された他のトレランスリングＴの軸方向への進入量を規制する差込み規制部６を有する。差込み規制部６は、軸方向における第１軸方向端部５ａと第１縁部２ａとの間の範囲にて他のトレランスリングＴの進入量を規制するように位置する。
【００３７】
また図３に示すようにトレランスリング１は、第２縁部２ｂ側から合口部１３に挿入された他のトレランスリングＴの軸方向への進入量を規制する差込み規制部７を有する。差込み規制部７は、軸方向における第２軸方向端部５ｂと第２縁部２ｂとの間の範囲にて他のトレランスリングＴの進入量を規制するように位置する。
【００３８】
したがってトレランスリング１と他のトレランスリングＴの絡む量が小さくなる。そのためトレランスリングが相互に絡んだままであっても、表面処理等の後工程を行うことができる。例えばトレランスリング１が軸部材に対して摺動する時、第１軸方向端部５ａや第２軸方向端部５ｂの周りにおいて面圧が集中する。そのため第１軸方向端部５ａや第２軸方向端部５ｂにおいて表面処理が施されることが望ましい。
【００３９】
図３に示すように差込み規制部６は、第１縁部２ａと仮想線Ｌ３の間に設けられる。そのため差込み規制部６は、他のトレランスリングＴのリング本体が図３における仮想線Ｌ３より下方へと挿入されることを規制する。差込み規制部７は、第２縁部２ｂと仮想線Ｌ４の間に設けられる。そのため差込み規制部７も同様にして、他のトレランスリングＴのリング本体が図３における仮想線Ｌ４より上方に挿入されることを規制する。
【００４０】
かくしてトレランスリングが相互に絡んだままであっても、第１軸方向端部５ａや第２軸方向端部５ｂの周りの表面処理等ができる。なおコーティングやショットブラスト等の表面処理だけに限定されず、例えば防錆処理や熱処理等であっても良い。しかも他のトレランスリングＴの絡む量が小さいため、トレランスリング１と他のトレランスリングＴを分離する場合でも容易に分離できる。
【００４１】
図３に示すように差込み規制部６は、第１スリット１４と第２スリット１５を有する。第１スリット１４は、第１端部１１と第２端部１２との間において第１縁部２ａから延在する。第２スリット１５は、第１スリット１４と角度を有して交差し第１スリット１４から延在する。第１スリット１４と第２スリット１５の連結箇所は、軸方向における第１軸方向端部５ａと第１縁部２ａとの間の範囲に位置する。また差込み規制部７は、第１スリット１６と第２スリット１７を有する。第１スリット１６は、第１端部１１と第２端部１２との間において第２縁部２ｂから延在する。第２スリット１７は、第１スリット１６と角度を有して交差し第１スリット１６から延在する。第１スリット１６と第２スリット１７の連結箇所は、軸方向において第２軸方向端部５ｂと第２縁部２ｂとの間の範囲に位置する。
【００４２】
したがって第１スリット１４に沿って軸方向に進入する他のトレランスリングＴは、第１スリット１４と第２スリット１５の連結箇所の第２凹壁面１１ｃに当たる。これにより軸方向内方への他のトレランスリングＴの進入が第２凹壁面１１ｃによって規制される。第１スリット１６に沿って軸方向に進入する他のトレランスリングＴは、第１スリット１６と第２スリット１７の連結箇所の第２凹壁面１２ｄに当たる。これにより軸方向内方への他のトレランスリングＴの進入が第２凹壁面１２ｄによって規制される。
【００４３】
かくしてトレランスリング同士の絡み合いの度合いを規制できる。しかも他のトレランスリングＴの進入量が規制されることで、第１軸方向端部５ａや第２軸方向端部５ｂの周りを他のトレランスリングＴによって覆われることが規制される。そのためトレランスリングが相互に絡んだままであっても、第１軸方向端部５ａや第２軸方向端部５ｂの周りの表面処理等ができる。
【００４４】
図３に示すように第１スリット１４，１６は、リング本体２の軸方向に沿って延在する。第２スリット１５，１７は、リング本体２の周方向に沿って延在する。第１スリット１４，１６の両側面と第２スリット１５，１７の両側面は、それぞれ略平行である。したがって合口部１３の周方向の幅を拡げる時、第１端部１１と第２端部１２が互いに引っ掛かり難い。そのため合口部１３の周方向の幅を拡げるようにリング本体２を変形させ易い。そのため第１スリット１４，１６に他のトレランスリングＴが進入した場合も、合口部１３の周方向の幅が拡がることでトレランスリング同士を容易に分離できる。また第１スリット１４，１６は板厚よりも間隔が広くなっているので、トレランスリング同士が絡んでも保持され難くなり自然に分離しやすい。
【００４５】
［第２実施形態］
第２実施形態を図４に基づいて説明する。図４に示すトレランスリング２０は、図３に示すトレランスリング１の第１端部１１と第２端部１２に代えて、第１端部２１と第２端部２２を有する。第１端部２１と第２端部２２は、対向する端面２１ａ，２２ａをリング本体２の軸方向における略中央に有する。第１端部２１と第２端部２２の間の軸方向における両部に差込み規制部２８，２９を有する。差込み規制部２８，２９は、図示するように例えばリング本体２の軸方向から合口部２３に他のトレランスリングＴが進入することを規制する。
【００４６】
図４に示すように差込み規制部２８は、軸方向における端面２１ａ，２２ａの第１縁部２ａ側（図４に置いて上方）に設けられる。差込み規制部２８は、第１端部２１に形成された張出し面２１ｂと第２端部２２に形成された切欠き面２２ｂを備える。張出し面２１ｂは、第１縁部２ａと例えば３０〜６０°の角度を有して交差し、図示するように上方から下方に向かうにしたがって左方から右方へと延出する。張出し面２１ｂと第１縁部２ａは、端面２１ａより周方向（図４において左方）に張出した略三角形の張出し形状を構成する。切欠き面２２ｂは、端面２１ａと第１縁部２ａと交差し、張出し面２１ｂと略平行に延出する。
【００４７】
図４に示すように差込み規制部２８は、互いに略平行である張出し面２１ｂと切欠き面２２ｂの間に第１スリット２４を有する。第１スリット２４はリング本体２の板厚よりも間隔が広い。第１スリット２４は、第１縁部２ａと例えば３０〜６０°の角度を有して交差し、上方から下方に向かうにしたがって左方から右方へと延在する。差込み規制部２８は、互いに略平行である端面２１ａ，２２ａ間に第２スリット２５を有する。第２スリット２５は、第１スリット２４と角度（例えば１２０〜１５０°）を有して交差し、第１スリット２４からリング本体２の軸方向に沿って延在する。
【００４８】
図４に示すように第１端部２１は、第１スリット２４と第２スリット２５の連結箇所を超えて第１スリット２４から第１スリット２４の延在方向に切込まれた切込み部２１ｃを有する。切込み部２１ｃは、第１スリット２４の間隔と略同じ幅である。切込み部２１ｃと第２スリット２５は、第１スリット２４から分岐するように延出する。第１スリット２４と切込み部２１ｃと第２スリット２５は、第１縁部２ａと仮想線Ｌ３との間に位置する。
【００４９】
図４に示すように差込み規制部２９は、軸方向における端面２１ａ，２２ａの第２縁部２ｂ側（図４に置いて下方）に設けられる。差込み規制部２９は、中心線Ｌ１を対称中心として差込み規制部２８と線対称状である。すなわち差込み規制部２９は、第１端部２１に形成された張出し面２１ｅと第２端部２２に形成された切欠き面２２ｃを備える。張出し面２１ｅと切欠き面２２ｃは、第２縁部２ｂと交差し、図示するように下方から上方に向かうにしたがって左方から右方へと互いに略平行に延出する。
【００５０】
図４に示すように差込み規制部２９は、張出し面２１ｅと切欠き面２２ｃの間に第１スリット２６を有する。第１スリット２６は、リング本体２の板厚より間隔が広い。差込み規制部２９は、端面２１ａ，２２ａ間に第２スリット２７を有する。第２スリット２７は、第１スリット２６と交差し、第１スリット２６からリング本体２の軸方向に沿って延在する。第１端部２１は、第１スリット２６と第２スリット２７の連結箇所を超えて第１スリット２６から第１スリット２６の延在方向に切込まれた切込み部２１ｄを有する。切込み部２１ｄは、第１スリット２６の間隔と略同じ幅である。切込み部２１ｄと第２スリット２７は、第１スリット２６から分岐するように延出する。第１スリット２６と切込み部２１ｄと第２スリット２７は、第２縁部２ｂと仮想線Ｌ４との間に位置する。
【００５１】
上述するように差込み規制部２８，２９は、図４に示すように第１スリット２４，２６と第２スリット２５，２７をそれぞれ有する。第１スリット２４，２６は、それぞれ第１縁部２ａ，第２縁部２ｂから延在する。第２スリット２５，２７は、第１スリット２４，２６と角度を有して交差し、第１スリット２４，２６からそれぞれ延在する。切込み部２１ｃ，２１ｄは、第１スリット２４，２６と第２スリット２５，２７の連結箇所を超えて第１スリット２４，２６から第１スリット２４，２６の延在方向に延びる。
【００５２】
したがって他のトレランスリングＴのリング本体は、第１スリット２４，２６に沿って軸方向に進入する際、第１スリット２４，２６から切込み部２１ｃ，２１ｄに向かって進入する。そして他のトレランスリングＴが切込み部２１ｃ，２１ｄに当たって、その侵入が規制される。したがって他のトレランスリングＴが第１スリット２４，２６から第２スリット２５，２７へ進入することを規制できる。かくしてトレランスリング同士の絡み合いの度合いを確実に規制できる。
【００５３】
図４に示すように第１端部２１は、リング本体２の軸方向内方に向かって切込まれる切込み部２１ｃ，２１ｄを有する。したがってリング本体２の第１端部２１の剛性が小さい。そのためリング本体２をリング状に曲げて成形する際、特に第１端部２１において曲げ加工し易い。かくしてリング本体２を容易にリング状に成形できる。
【００５４】
図５に示す第１参考例のトレランスリング３０は、図４に示す第１端部２１，第２端部２２と差込み規制部２８，２９に代えて、第１端部３１，第２端部３２と差込み規制部３８，３９を有する。第１端部３１，第２端部３２は、それぞれ第１端部２１，第２端部２２と近似する構成を有する。しかし差込み規制部３８，３９は、第１スリット３４，３６と第２スリット３５，３７と切込み部３１ｃ，３１ｄを有し、これらの分岐点が仮想線Ｌ３，Ｌ４より軸方向内方に位置する点で図４に示す差込み規制部２８，２９と相違する。
【００５５】
図５に示すように第１端部３１は、図４に示す端面２１ａと張出し面２１ｂ，２１ｅと同様の端面３１ａと張出し面３１ｂ，３１ｅを有する。第２端部３２は、図４に示す端面２２ａと切欠き面２２ｂ，２２ｃと同様の端面３２ａと切欠き面３２ｂ，３２ｃを有する。
【００５６】
上述するように差込み規制部３８は、図５に示すように第１スリット３４と第２スリット３５と切込み部３１ｃを有する。第１スリット３４は、リング本体２の第１縁部２ａから延在する。第２スリット３５は、第１スリット３４と角度を有して交差し第１スリット３４から延在する。切込み部３１ｃは、第１スリット３４と第２スリット３５の連結箇所を超えて第１スリット３４から第１スリット３４の延在方向に延びる。
【００５７】
したがって他のトレランスリングＴのリング本体は、第１スリット３４，３６に沿って軸方向に進入する際、第１スリット３４，３６から切込み部３１ｃ，３１ｄに向かって進入する。そして他のトレランスリングＴが切込み部３１ｃ，３１ｄに当たって、その進入が規制される。したがって他のトレランスリングＴが第１スリット３４，３６から第２スリット３５，３７へ進入することを規制できる。かくしてトレランスリング同士の絡み合いの度合いを確実に規制できる。
【００５８】
図５に示すように第１端部３１は、リング本体２の軸方向内方に向かって切込まれる切込み部３１ｃ，３１ｄを有する。したがってリング本体２の第１端部３１の剛性が小さい。そのためリング本体２をリング状に曲げて成形する際、特に第１端部３１において曲げ加工し易い。かくしてリング本体２を容易にリング状に成形できる。
【００５９】
［第３実施形態］
第３実施形態を図６に基づいて説明する。図６に示すトレランスリング４０は、図３に示す第１端部１１，第２端部１２と差込み規制部６，７に代えて、第１端部４１，第２端部４２と差込み規制部４８，４９を有する。差込み規制部４８，４９は、図示するように例えばリング本体２の軸方向から合口部４３に他のトレランスリングＴが進入する度合いを規制する。
【００６０】
図６に示すように差込み規制部４８，４９は、図４に示す差込み規制部２８，２９と同様の第１スリット４４，４６と第２スリット４５，４７を有するが、図４に示す切込み部２１ｃ，２１ｄを有さない。第１端部４１は、図４に示す端面２１ａと張出し面２１ｂ，２１ｅと同様の端面４１ａと張出し面４１ｂ，４１ｃを有する。張出し面４１ｂ，４１ｃは、端面４１ａと角度（例えば１２０〜１５０°）を有して交差する。第２端部４２は、図４に示す端面２２ａと切欠き面２２ｂ，２２ｃと同様の端面４２ａと切欠き面４２ｂ，４２ｃを有する。
【００６１】
図６に示すように第１スリット４４，４６は、互いに略平行である張出し面４１ｂ，４１ｃと切欠き面４２ｂ，４２ｃの間に形成される。第２スリット４５，４７は、互いに略平行である端面４１ａ，４２ａ間に形成される。第１スリット４４，４６と第２スリット４５，４７は、第１縁部２ａ，第２縁部２ｂと仮想線Ｌ３，Ｌ４との間に位置する。
【００６２】
上述するように差込み規制部４８，４９は、図６に示すように第１スリット４４，４６と第２スリット４５，４７をそれぞれ有する。第１スリット４４，４６は、それぞれ第１縁部２ａ，第２縁部２ｂから延在する。第２スリット４５，４７は、第１スリット４４，４６と角度を有して交差し、第１スリット４４，４６からそれぞれ延在する。
【００６３】
したがって第１スリット４４に沿って軸方向に進入する他のトレランスリングＴは、第１スリット４４と第２スリット４５の連結箇所である端面４１ａの図６における上端部に当たる。第１スリット４６に沿って軸方向に進入する他のトレランスリングＴは、第１スリット４６と第２スリット４７の連結箇所である端面４１ａの図６における下端部に当たる。そのため端面４１ａは、他のトレランスリングＴの第２スリット４５，４７への進入を規制できる。
【００６４】
［第４実施形態］
第４実施形態を図７に基づいて説明する。図７に示すトレランスリング５０は、図３に示す第１端部１１，第２端部１２と同様の第１端部５１，第２端部５２を有する。トレランスリング５０は、図３に示す差込み規制部６，７に代えて差込み規制部５８，５９を有する。トレランスリング５０は、軸方向張出し部５１ｄ，５２ｄを有する点で図３に示すトレランスリング１と相違する。第１端部５１は、端面５１ａ、第１凹壁面５１ｂ、第２凹壁面５１ｃ、第１凸壁面５１ｆ、第２凸壁面５１ｅを有し、これらはそれぞれ端面１１ａ、第１凹壁面１１ｂ、第２凹壁面１１ｃ、第１凸壁面１１ｅ、第２凸壁面１１ｄと近似した構成を有する。第２端部５２は、端面５２ａ、第１凸壁面５２ｂ、第２凸壁面５２ｃ、第１凹壁面５２ｆ、第２凹壁面５２ｅを有し、これらはそれぞれ端面１２ａ、第１凸壁面１２ｂ、第２凸壁面１２ｃ、第１凹壁面１２ｅ、第２凹壁面１２ｄと近似した構成を有する。
【００６５】
図７に示すように差込み規制部５８は、互いに略平行である第１凹壁面５１ｂと第１凸壁面５２ｂの間に第１スリット５４を有する。第１スリット５４は、第１縁部２ａからリング本体２の軸方向に沿って延在する。第１スリット５４は、リング本体２の板厚より幅が広くかつ図３に示す第１スリット１４より間隔が広くなるように形成される。差込み規制部５８は、互いに略平行である第２凹壁面５１ｃと第２凸壁面５２ｃの間に第２スリット５５を有する。第２スリット５５は、第１スリット５４と角度（例えば略９０°）を有して交差し、第１スリット５４からリング本体２の周方向に沿って延在する。第２スリット５５は、第１スリット５４より幅が狭い。
【００６６】
図７に示すように軸方向張出し部５１ｄは、端面５１ａと第２凹壁面５１ｃの連結箇所に位置し、第２凹壁面５１ｃからリング本体２の軸方向外方（図７において上方）に張出す。軸方向張出し部５１ｄは、第２凸壁面５２ｃに対向し、第２凸壁面５２ｃとの間にリング本体２の板厚より間隔が狭い第２スリット狭部５５ａを形成する。第１スリット５４と第２スリット５５と第２スリット狭部５５ａは、第１縁部２ａと仮想線Ｌ３との間に位置する。
【００６７】
図７に示すように差込み規制部５９は、合口部５３の中心を対称中心として差込み規制部５８と点対称状である。差込み規制部５９は、差込み規制部５８と同様に第１凸壁面５１ｆと第１凹壁面５２ｆの間に形成された第１スリット５６と、第２凸壁面５１ｅと第２凹壁面５２ｅの間に形成された第２スリット５７を有する。差込み規制部５９は、軸方向張出し部５１ｄと同様の軸方向張出し部５２ｄを有し、軸方向張出し部５２ｄと第２凸壁面５１ｅとの間に第２スリット狭部５７ａを有する。第１スリット５６と第２スリット５７と第２スリット狭部５７ａは、第２縁部２ｂと仮想線Ｌ４との間に設けられる。
【００６８】
上述するように図７に示すように第１スリット５４，５６は、他のトレランスリングＴのリング本体の板厚より大きい幅を有する。したがって第１スリット５４，５６に他のトレランスリングＴが進入しても挟まれ難く、自然に分離しやすい。
【００６９】
［第５実施形態］
第５実施形態を図８〜１０に基づいて説明する。図９に示すトレランスリング６０は、図３に示す第１端部１１，第２端部１２と差込み規制部６，７に代えて、第１端部６１，第２端部６２と差込み規制部６８，６９を有する。トレランスリング６０は、突出部６１ｆ，６２ｆを有する点で図３に示すトレランスリング１と相違する。第１端部６１は、端面６１ａ、第１凹壁面６１ｂ、第２凹壁面６１ｃ、第２凸壁面６１ｄを有し、これらはそれぞれ図３に示す端面１１ａ、第１凹壁面１１ｂ、第２凹壁面１１ｃ、第２凸壁面１１ｄと近似した構成を有する。第２端部６２は、端面６２ａ、第１凸壁面６２ｂ、第２凸壁面６２ｃ、第２凹壁面６２ｄを有し、これらはそれぞれ図３に示す端面１２ａ、第１凸壁面１２ｂ、第２凸壁面１２ｃ、第２凹壁面１２ｄと近似した構成を有する。
【００７０】
図８，９に示すように突出部６１ｆは、図９において第２縁部２ｂに沿って第１端部６１から周方向（図９において左方）に張出す。突出部６１ｆの先端には径方向内方に湾曲する第１凸壁面６１ｅが形成される。突出部６１ｆは、略矩形状であって、第２縁部２ｂと第１凸壁面６１ｅと第２凸壁面６１ｄを端面として有する。第１凸壁面６１ｅは、突出部６１ｆの周方向先端に位置し、周方向に向く。第１凸壁面６１ｅは、第２凸壁面６１ｄと交差しかつリング本体２の軸方向に沿って第２縁部２ｂまで延出する。突出部６１ｆは、第２端部６２に形成された切欠きに収容される。切欠きは、第１凹壁面６２ｅと第２凹壁面６２ｄで構成される。
【００７１】
図８，９に示すように突出部６２ｆは、第１縁部２ａに沿って形成され、かつ突出部６１ｆと近似する構成を有する。ただし突出部６２ｆの先端には、径方向外方に湾曲する第１凸壁面６２ｂが形成される。突出部６２ｆは、略矩形状で第１縁部２ａと第１凸壁面６２ｂと第２凸壁面６２ｃを有する。突出部６２ｆは、第１端部６１に形成された切欠きに収容され、切欠きは、第１凹壁面６１ｂと第２凹壁面６１ｃで構成される。
【００７２】
図９に示すように差込み規制部６８，６９は、図３に示す差込み規制部６，７と同様に第１スリット６４，６６と第２スリット６５，６７を有する。第１スリット６４，６６は、互いに略平行である第１凹壁面６１ｂ，６２ｅと第１凸壁面６２ｂ，６１ｅの間にそれぞれ形成される。第２スリット６５，６７は、互いに略平行である第２凹壁面６１ｃ，６２ｄと第２凸壁面６２ｃ，６１ｄの間にそれぞれ形成される。第１スリット６４と第２スリット６５と突出部６２ｆは、第１縁部２ａと仮想線Ｌ３との間に位置する。第１スリット６６と第２スリット６７と突出部６１ｆは、第２縁部２ｂと仮想線Ｌ４との間に位置する。
【００７３】
上述するように差込み規制部６８，６９は、図９に示すように第１スリット６４，６６と第２スリット６５，６７をそれぞれ有する。第１スリット６４，６６と第２スリット６５，６７は、図３の第１スリット１４，１６と第２スリット１５，１７と同様に他のトランスリングＴが軸方向から合口部６３に進入する度合いを規制する。
【００７４】
図８，１０に示すように差込み規制部６８は、リング本体２の径方向外方に突出した突出部６２ｆを有する。差込み規制部６９は、リング本体２の径方向内方に突出した突出部６１ｆを有する。したがって突出部６１ｆ，６２ｆは、他のトランスリングＴが径方向から合口部６３に進入することを規制する。これによりトレランスリング同士が絡み合うことをより確実に規制できる。
【００７５】
図１１，１２に示す第２参考例のトレランスリング７０は、図３に示すトレランスリング１の第１端部１１，第２端部１２と差込み規制部６，７に代えて、第１端部７１，第２端部７２と差込み規制部７８，７９を有する。図１１に示すように第１端部７１，第２端部７２は、半山突起部８，９を有し、差込み規制部７８，７９が合口部７３において軸方向に１列に並ぶ。
【００７６】
図１１，１２に示すように半山突起部８，９は、径方向に突出しかつ軸方向に延在する山形状をその周方向中心を境にして半割した半山形状を有する。半山突起部８，９は、合口部７３を中心として相互に対称形状を有する。半山突起部８，９は、突起部５より長い軸方向長さを有する。半山突起部８，９は、第１縁部２ａ側に第１軸方向端部８ａ，９ａを有し、第２縁部２ｂ側に第２軸方向端部８ｂ，９ｂを有する。第１軸方向端部８ａ，９ａは、互いに軸方向位置が同じで、第１縁部２ａと仮想線Ｌ３との間に位置する。第２軸方向端部８ｂ，９ｂは、互いに軸方向位置が同じで、第２縁部２ｂと仮想線Ｌ４との間に位置する。
【００７７】
図１１に示すように第１端部７１，第２端部７２は、互いに対向する端面７１ａ，７２ａを有する。差込み規制部７８，７９は、端面７１ａ，７２ａ間に第１スリット７４，７６と第２スリット７５，７７を有する。第１スリット７４と第２スリット７５は、軸方向において第１縁部２ａと仮想線Ｌ３との間に位置する。第１スリット７６と第２スリット７７は、軸方向において第２縁部２ｂと仮想線Ｌ４との間に位置する。
【００７８】
図１１に示すように第１スリット７４，７６と第２スリット７５，７７は、合口部７３においてリング本体２の軸方向に１列に並んでいる。第１スリット７４，７６は、半山突起部８，９よりリング本体２の軸方向外方に位置する。第２スリット７５，７７は、半山突起部８，９よりリング本体２の軸方向内方に位置する。そのため第１スリット７４，７６と第２スリット７５，７７は、それぞれ互いの間に径方向の段差を有する。
【００７９】
上述するように差込み規制部７８，７９は、図１１，１２に示すようにリング本体２の径方向外方に突出した半山突起部８，９をそれぞれ有する。したがって半山突起部８，９は、例えば他のトランスリングＴが合口部７３に径方向あるいは軸方向から進入する時、他のトレランスリングＴの突起部や半山突起部と当たる。これにより他のトレランスリングＴが合口部６３に進入する度合いを規制する。
【００８０】
［第６実施形態］
第６実施形態を図１３に基づいて説明する。図１３に示すトレランスリング８０は、図３に示す第１端部１１，第２端部１２と差込み規制部６，７に代えて、第１端部８１，第２端部８２と差込み規制部８８，８９を有する。トレランスリング８０は、図３に示す第１スリット１４，１６と第２スリット１５，１７に代えて曲線状のスリット８４，８６を有する。第１端部８１，第２端部８２は、図３の端面１１ａ，１２ａと近似した構成を有する端面８１ａ，８２ａを有する。
【００８１】
図１３に示すように差込み規制部８８は、第１端部８１からＳ字状に蛇行する凹壁面８１ｂを備える。凹壁面８１ｂは、第１縁部２ａと端面８１ａを連結する。凹壁面８１ｂは、第１曲線部８１ｃと第２曲線部８１ｄを備える。第１曲線部８１ｃは、略円弧状に周方向（図１３において右方）に第１端部８１を切欠いた切欠き形状を有する。第２曲線部８１ｄは、略円弧状に周方向（図１３において左方）に凹壁面８１ｂから張出した張出し形状を有する。
【００８２】
図１３に示すように差込み規制部８８は、第２端部８２において第１凸壁面８２ｂと第２凸壁面８２ｃを有する。第１凸壁面８２ｂは、第１凸壁面８２ｂに沿って第１縁部２ａから延出する。第２凸壁面８２ｃは、第１凸壁面８２ｂに沿って第１縁部２ａと端面８２ａを連結する。第１凸壁面８２ｂと第２凸壁面８２ｃは、Ｓ字状で、第１凸壁面８２ｂが第１曲線部８１ｃと対向し、第２凸壁面８２ｃが第２曲線部８１ｄと対向する。
【００８３】
図１３に示すように差込み規制部８８は、凹壁面８１ｂと第１凸壁面８２ｂおよび第２凸壁面８２ｃの間にＳ字状のスリット８４を有する。スリット８４は、第２曲線部８１ｄと第２凸壁面８２ｃの間にスリット狭部８５を有する。スリット狭部８５は、第１縁部２ａ側のスリット８４の開口方向と角度（例えば略９０°）を有して交差する方向に延出する。スリット８４は、リング本体２の板厚より間隔が広く、スリット狭部８５は、リング本体２の板厚より間隔が狭い。スリット８４と第１曲線部８１ｃとスリット狭部８５は、第１縁部２ａと仮想線Ｌ３との間に位置する。
【００８４】
図１３に示すように差込み規制部８９は、合口部８３の中心を対称中心として差込み規制部８８と点対称状である。差込み規制部８９は、差込み規制部８８と同様に凹壁面８２ｆと第１凸壁面８１ｆおよび第２凸壁面８１ｅの間にＳ字状に形成されたスリット８６と、第２曲線部８２ｄと第２凸壁面８１ｅの間に形成されたスリット狭部８７を有する。スリット８６と第１曲線部８２ｅとスリット狭部８７は、第２縁部２ｂと仮想線Ｌ４との間に設けられる。
【００８５】
上述するように差込み規制部８８，８９は、第１縁部２ａ，第２縁部２ｂからＳ字状に延在するスリット８４，８６をそれぞれ有する。スリット８４，８６は、切欠き形状の第１曲線部８１ｃ，８２ｅを有する。第１曲線部８１ｃは、軸方向における第１軸方向端部５ａと第１縁部２ａとの間の範囲に位置する。第１曲線部８２ｅは、軸方向における第２軸方向端部５ｂと第２縁部２ｂとの間の範囲に位置する。
【００８６】
したがって他のトレランスリングＴのリング本体は、スリット８４，８６に沿って軸方向に進入する際、第１曲線部８１ｃ，８２ｅの側壁面に当たる。これにより他のトレランスリングＴの軸方向内方への進入が第１曲線部８１ｃ，８２ｅによって規制される。かくしてトレランスリング同士の絡み合いの度合いを規制できる。
【００８７】
以上説明した第１〜第６実施形態のトレランスリング１，２０，４０，５０，６０，８０には種々変更を加えることができる。例えば、これらトレランスリングは、第１縁部２ａ側と第２縁部２ｂ側の双方に差込み規制部を有する。これに代えてトレランスリングは、第１縁部２ａ側と第２縁部２ｂのいずれか一方にだけに差込み規制部を有していても良い。図３，７，８，１３の２箇所の差込み規制部は、合口部の中心を対称中心として互いに点対称状である。これに代えて２箇所の差込み規制部は、例えば中心線Ｌ１を対称中心とする線対称状であっても良い。あるいは２箇所の差込み規制部は、互いに非対称状でも良い。図４，６のトレランスリングは、２箇所の差込み規制部が中心線Ｌ１を対称中心として互いに線対称状である。これに代えて２箇所の差込み規制部は、例えば合口部の中心を対称中心とした互いに点対称状であっても良い。あるいは２箇所の差込み規制部は、例えば互いに非対称状でも良い。
【００８８】
第１縁部２ａ側の差込み規制部または第２縁部２ｂ側の差込み規制部を別の実施形態の差込み規制部に変更しても良い。例えば第１縁部２ａ側の差込み規制部として図３に示す差込み規制部６を適用し、第２縁部２ｂ側の差込み規制部として図４に示す差込み規制部２９を適用しても良い。第１縁部２ａ側の差込み規制部または第２縁部２ｂ側の差込み規制部として図５，９の差込み規制部を適用しても良い。図７に示す軸方向張出し部５１ｄ，５２ｄに代えて、例えば第２凸壁面５２ｃ，５１ｅからそれぞれ軸方向内方へ突出する軸方向張出し部を備えても良い。
【００８９】
図２に示すように複数の突起部５は、中心線Ｌ１に沿ってリング本体２の軸方向の略中心に１列に並ぶ。これに代えて複数の突起部は、中心線Ｌ１より第１縁部２ａ側に偏った位置においてリング本体２の周方向に１列に並んでも良い。図２に示すように各突起部５は、仮想線Ｌ３上に並ぶ第１軸方向端部５ａと、仮想線Ｌ４上に並ぶ第２軸方向端部５ｂを有する。これに代えてトレランスリングが軸方向長さの異なる複数種類の突起部を有していても良い。複数の突起部は、リング本体２の軸方向にジグザグ状に振り分けられて配置されても良い。この場合、差込み規制部は、軸方向においてリング本体２の縁部に最も近い突起部の軸方向端部と縁部との間に形成される。
【００９０】
図１の実施例のトレランスリング１は、合口部１３で対向する第１端部１１と第２端部１２を有し、自由状態において第１端部１１と第２端部１２が径方向に重ならないように配置される。これに代えてトレランスリング１は、図１４に示すように自由状態において径方向に重なる第１端部１１と第２端部１２を有していても良い。換言すると、図１に示す第１端部１１が第２端部１２に対して軸方向にずれかつ径方向にずれることで図１４に示すトレランスリング１が形成される。
【００９１】
より具体的には、図１４に示すように第１端部１１が第２端部１２に対して軸方向一方（図面左方向）に変位し、かつ径方向外方に変位している。その結果、端面１１ａと第２凹壁面１１ｃの間に位置する張出し部が第１凸壁面１２ｂと第２凸壁面１２ｃで構成される張出し部に対して径方向に重なる。第１凸壁面１１ｅと第２凸壁面１１ｄで構成される張出し部が端面１２ａと第２凹壁面１２ｄの間に位置する張出し部に対して径方向に重なる。第１スリット１４，１６は、第１端部１１と第２端部１２の間にて周方向及び径方向に所定の距離を形成する。第２スリット１５，１７は、第１端部１１と第２端部１２の間にて径方向に所定の距離を形成するが、軸方向に重なっている。この形態においても、第１スリット１４，１６に沿って軸方向に進入する他のトレランスリングＴは、第２凹壁面１１ｃ，１２ｄに当たり、第２スリット１５，１７への進入が規制される。これにより他のトレランスリングＴが合口部１３に進入する度合いが規制される。
【００９２】
本開示は、下記の構造も含む。すなわちトレランスリングは、リング本体と複数の突起部を有する。リング本体は、ばね性を有する帯状板材からリング状に形成される。突起部は、リング本体に形成されかつリング本体から径方向に突出する。リング本体の周方向の第１端部と第２端部の間には、合口部が形成される。リング本体は、軸方向の第１縁部と第２縁部を有する。トレランスリングは、第１縁部側から合口部に挿入された他のトレランスリングの軸方向への進入量を規制する差込み規制部を有する。差込み規制部は、第１スリットと第２スリットを有する。第１スリットは、第１端部と第２端部との間においてリング本体の第１縁部から延在する。第２スリットは、第１スリットと角度を有して交差し第１スリットから延在する。差込み規制部は、第１スリットと第２スリットの連結箇所を超えて第１スリットから第１スリットの延在方向に延びる切込み部を有する。したがって第１スリットに沿って軸方向に進入する他のトレランスリングのリング本体は、第１スリットから切込み部に向かって進入する。これにより他のトレランスリングが第１スリットから第２スリットへ進入することを規制できる。かくしてトレランスリング同士の絡み合いの度合いを確実に規制できる。
【符号の説明】
【００９３】
１…トレランスリング（第１実施形態）
２…リング本体
２ａ…第１縁部、２ｂ…第２縁部
３…外周面
４…内周面
５…突起部
５ａ…第１軸方向端部、５ｂ…第２軸方向端部
６，７…差込み規制部
８，９…半山突起部
１１…第１端部、１１ａ…端面、１１ｂ…第１凹壁面、１１ｃ…第２凹壁面
１１ｄ…第２凸壁面、１１ｅ…第１凸壁面
１２…第２端部、１２ａ…端面、１２ｂ…第１凸壁面、１２ｃ…第２凸壁面
１２ｄ…第２凹壁面、１２ｅ…第１凹壁面
１３…合口部
１４，１６…第１スリット
１５，１７…第２スリット
２０…トレランスリング（第２実施形態）
２１…第１端部、２１ａ…端面、２１ｂ，２１ｅ…張出し面
２１ｃ，２１ｄ…切込み部
２２…第２端部、２２ａ…端面、２２ｂ，２２ｃ…切欠き面
２３…合口部
２４，２６…第１スリット
２５，２７…第２スリット
２８，２９…差込み規制部
３０…トレランスリング（第１参考例）
３１…第１端部、３１ａ…端面、３１ｂ，３１ｅ…張出し面
３１ｃ，３１ｄ…切込み部
３２…第２端部、３２ａ…端面、３２ｂ，３２ｃ…切欠き面
３３…合口部
３４，３６…第１スリット
３５，３７…第２スリット
３８，３９…差込み規制部
４０…トレランスリング（第３実施形態）
４１…第１端部、４１ａ…端面、４１ｂ，４１ｃ…張出し面
４２…第２端部、４２ａ…端面、４２ｂ，４２ｃ…切欠き面
４３…合口部
４４，４６…第１スリット
４５，４７…第２スリット
４８，４９…差込み規制部
５０…トレランスリング（第４実施形態）
５１…第１端部、５１ａ…端面、５１ｂ…第１凹壁面、５１ｃ…第２凹壁面
５１ｄ…軸方向張出し部、５１ｅ…第２凸壁面、５１ｆ…第１凸壁面
５２…第２端部、５２ａ…端面、５２ｂ…第１凸壁面、５２ｃ…第２凸壁面
５２ｄ…軸方向張出し部、５２ｅ…第２凹壁面、５２ｆ…第１凹壁面
５３…合口部
５４，５６…第１スリット
５５，５７…第２スリット、５５ａ，５７ａ…第２スリット狭部
５８，５９…差込み規制部
６０…トレランスリング（第５実施形態）
６１…第１端部、６１ａ…端面、６１ｂ…第１凹壁面、６１ｃ…第２凹壁面
６１ｄ…第２凸壁面、６１ｅ…第１凸壁面、６１ｆ…突出部
６２…第２端部、６２ａ…端面、６２ｂ…第１凸壁面、６２ｃ…第２凸壁面
６２ｄ…第２凹壁面、６２ｅ…第１凹壁面、６２ｆ…突出部
６３…合口部
６４，６６…第１スリット
６５，６７…第２スリット
６８，６９…差込み規制部
７０…トレランスリング（第２参考例）
７１…第１端部、７１ａ…端面
７２…第２端部、７２ａ…端面
７３…合口部
７４，７６…第１スリット
７５，７７…第２スリット
７８，７９…差込み規制部
８０…トレランスリング（第６実施形態）
８１…第１端部、８１ａ…端面、８１ｂ…凹壁面
８１ｃ…第１曲線部、８１ｄ…第２曲線部、８１ｅ…第２凸壁面、８１ｆ…第１凸壁面
８２…第２端部、８２ａ…端面、８２ｂ…第１凸壁面、８２ｃ…第２凸壁面
８２ｄ…第２曲線部、８２ｅ…第１曲線部、８２ｆ…凹壁面
８３…合口部
８４，８６…スリット
８５，８７…スリット狭部
８８，８９…差込み規制部
Ｌ１…（リング本体の周方向の）中心線、Ｌ２…（リング本体の軸方向の）中心線
Ｌ３…（突起部の第１軸方向端部の）仮想線
Ｌ４…（突起部の第２軸方向端部の）仮想線
Ｔ…他のトレランスリング
【図１】
2020091023.tif 000003
【図２】
2020091023.tif 000004
【図３】
2020091023.tif 000005
【図４】
2020091023.tif 000006
【図５】
2020091023.tif 000007
【図６】
2020091023.tif 000008
【図７】
2020091023.tif 000009
【図８】
2020091023.tif 000010
【図９】
2020091023.tif 000011
【図１０】
2020091023.tif 000012
【図１１】
2020091023.tif 000013
【図１２】
2020091023.tif 000014
【図１３】
2020091023.tif 000015
【図１４】
2020091023.tif 000016